【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
一対の電極間に、発光層を含む有機層を有する有機電界発光素子であって、下記一般式（Ｉ）で表される化合物を、有機層に含有することを特徴とする有機電界発光素子。
【化１】
2010245063.tif 000001
（一般式（Ｉ）中、Ｑは各々独立にｔ−ブチル基又はトリメチルシリル基を表す。Ｒは複数存在する場合は各々独立して水素原子、アルキル基、シアノ基、アリール基又はヘテロアリール基を表す。ｎは１又は２を表す。）
【請求項２】
一般式（Ｉ）で表される化合物が、下記一般式（ＩＩ）で表される化合物であることを特徴とする請求項１に記載の有機電界発光素子。
【化２】
2010245063.tif 000002
（一般式（ＩＩ）中、Ｑは各々独立にｔ−ブチル基又はトリメチルシリル基を表す。Ｒは水素原子、アルキル基、シアノ基、アリール基又はヘテロアリール基を表す。）
【請求項３】
一般式（ＩＩ）で表される化合物が、下記一般式（ＩＩＩ）で表される化合物であることを特徴とする請求項２に記載の有機電界発光素子。
【化３】
2010245063.tif 000003
（一般式（ＩＩＩ）中、Ｒは水素原子、アルキル基、シアノ基、アリール基又はヘテロアリール基を表す。）
【請求項４】
一般式（Ｉ）で表される化合物が、下記一般式（ＩＶ）で表される化合物であることを特徴とする請求項１に記載の有機電界発光素子。
【化４】
2010245063.tif 000004
（一般式（ＩＶ）中、Ｑは各々独立にｔ−ブチル基又はトリメチルシリル基を表す。Ｒは各々独立に水素原子、アルキル基、シアノ基、アリール基又はヘテロアリール基を表す。）
【請求項５】
一般式（ＩＶ）で表される化合物が、下記一般式（Ｖ）で表される化合物であることを特徴とする請求項４に記載の有機電界発光素子。
【化５】
2010245063.tif 000005
（一般式（Ｖ）中、Ｒは各々独立に水素原子、アルキル基、シアノ基、アリール基又はヘテロアリール基を表す。）
【請求項６】
前記一般式（ＩＩＩ）におけるＲが水素原子、フェニル基、又はカルバゾール基であることを特徴とする請求項３に記載の有機電界発光素子。
【請求項７】
前記一般式（Ｖ）におけるＲが水素原子、フェニル基、又はカルバゾール基であることを特徴とする請求項５に記載の有機電界発光素子。
【請求項８】
一般式（Ｉ）〜（Ｖ）で表される化合物の分子量が４５０〜１２００であることを特徴とする請求項１〜７のいずれかに記載の有機電界発光素子。
【請求項９】
発光層に白金錯体材料を含むことを特徴とする請求項１〜８のいずれかに記載の有機電界発光素子。
【請求項１０】
発光層に４座配位子を有する白金錯体材料を含むことを特徴とする請求項１〜９のいずれかに記載の有機電界発光素子。
【請求項１１】
前記白金錯体材料が下記一般式（２ａ−１）で表される白金錯体材料であることを特徴とする請求項１０に記載の有機電界発光素子。
【化６】
2010245063.tif 000006
（式中、Ｘ1、Ｘ2、Ｘ3およびＸ4は、それぞれ独立に、炭素原子または窒素原子を表す。Ｘ1、Ｘ2、Ｘ3およびＸ4の内、いずれか１つ以上は、窒素原子を表す。Ｒ41、Ｒ42、Ｒ43、Ｒ44、Ｒ45及びＲ46は、それぞれ独立に水素原子または置換基を表す。Ｘ53、Ｘ54及びＸ55は、それぞれ独立に、炭素原子または窒素原子を表し、Ｘ53、Ｘ54及びＸ55を含有する５員環骨格に含まれる窒素原子の数は、１または２である。Ｌは単結合または２価の連結基を表す。）
【請求項１２】
さらに、下記一般式（ａ）で表される化合物を発光層に含むことを特徴とする請求項１０〜１１のいずれかに記載の有機電界発光素子。
【化７】
2010245063.tif 000007
（一般式（ａ）において、Ｒ1〜Ｒ4は、それぞれ独立に、水素原子、アルキル基、アルケニル基、アルキニル基、アリール基、ヘテロアリール基、アルコキシ基、アシル基、アシロキシ基、アミノ基、ニトロ基、シアノ基、エステル基、アミド基、ハロゲン基、パーフルオロアルキル基、シリル基を表し、該Ｒ1〜Ｒ4の少なくとも１つは、二重結合、あるいは三重結合を有する基である。Ｘ1〜Ｘ12は、それぞれ独立に、水素原子、アルキル基、アルキニル基、アリール基、ヘテロアリール基、アルコキシ基、アシル基、アシロキシ基、アミノ基、ニトロ基、シアノ基、エステル基、アミド基、ハロゲン基、パーフルオロアルキル基、シリル基を表す。）
【請求項１３】
下記一般式（Ｖ）で表される化合物。
【化８】
2010245063.tif 000008
（一般式（Ｖ）中、Ｒは各々独立に水素原子、アルキル基、シアノ基、アリール基又はヘテロアリール基を表す。）
【手続補正２】
【補正対象書類名】明細書
【補正対象項目名】０００９
【補正方法】変更
【補正の内容】
【０００９】
本発明は下記の手段により達成された。
〔１〕
一対の電極間に、発光層を含む有機層を有する有機電界発光素子であって、下記一般式（Ｉ）で表される化合物を、有機層に含有することを特徴とする有機電界発光素子。
【化１０１】
2010245063.tif 000009
（一般式（Ｉ）中、Ｑは各々独立にｔ−ブチル基又はトリメチルシリル基を表す。Ｒは複数存在する場合は各々独立して水素原子、アルキル基、シアノ基、アリール基又はヘテロアリール基を表す。ｎは１又は２を表す。）
〔２〕
一般式（Ｉ）で表される化合物が、下記一般式（ＩＩ）で表される化合物であることを特徴とする〔１〕に記載の有機電界発光素子。
【化１０２】
2010245063.tif 000010
（一般式（ＩＩ）中、Ｑは各々独立にｔ−ブチル基又はトリメチルシリル基を表す。Ｒは水素原子、アルキル基、シアノ基、アリール基又はヘテロアリール基を表す。）
〔３〕
一般式（ＩＩ）で表される化合物が、下記一般式（ＩＩＩ）で表される化合物であることを特徴とする〔２〕に記載の有機電界発光素子。
【化１０３】
2010245063.tif 000011
（一般式（ＩＩＩ）中、Ｒは水素原子、アルキル基、シアノ基、アリール基又はヘテロアリール基を表す。）
〔４〕
一般式（Ｉ）で表される化合物が、下記一般式（ＩＶ）で表される化合物であることを特徴とする〔１〕に記載の有機電界発光素子。
【化１０４】
2010245063.tif 000012
（一般式（ＩＶ）中、Ｑは各々独立にｔ−ブチル基又はトリメチルシリル基を表す。Ｒは各々独立に水素原子、アルキル基、シアノ基、アリール基又はヘテロアリール基を表す。）
〔５〕
一般式（ＩＶ）で表される化合物が、下記一般式（Ｖ）で表される化合物であることを特徴とする〔４〕に記載の有機電界発光素子。
【化１０５】
2010245063.tif 000013
（一般式（Ｖ）中、Ｒは各々独立に水素原子、アルキル基、シアノ基、アリール基又はヘテロアリール基を表す。）
〔６〕
前記一般式（ＩＩＩ）におけるＲが水素原子、フェニル基、又はカルバゾール基であることを特徴とする〔３〕に記載の有機電界発光素子。
〔７〕
前記一般式（Ｖ）におけるＲが水素原子、フェニル基、又はカルバゾール基であることを特徴とする〔５〕に記載の有機電界発光素子。
〔８〕
一般式（Ｉ）〜（Ｖ）で表される化合物の分子量が４５０〜１２００であることを特徴とする〔１〕〜〔７〕のいずれかに記載の有機電界発光素子。
〔９〕
発光層に白金錯体材料を含むことを特徴とする〔１〕〜〔８〕のいずれかに記載の有機電界発光素子。
〔１０〕
発光層に４座配位子を有する白金錯体材料を含むことを特徴とする〔１〕〜〔９〕のいずれかに記載の有機電界発光素子。
〔１１〕
前記白金錯体材料が下記一般式（２ａ−１）で表される白金錯体材料であることを特徴とする〔１０〕に記載の有機電界発光素子。
【化１０６】
2010245063.tif 000014
（式中、Ｘ1、Ｘ2、Ｘ3およびＸ4は、それぞれ独立に、炭素原子または窒素原子を表す。Ｘ1、Ｘ2、Ｘ3およびＸ4の内、いずれか１つ以上は、窒素原子を表す。Ｒ41、Ｒ42、Ｒ43、Ｒ44、Ｒ45及びＲ46は、それぞれ独立に水素原子または置換基を表す。Ｘ53、Ｘ54及びＸ55は、それぞれ独立に、炭素原子または窒素原子を表し、Ｘ53、Ｘ54及びＸ55を含有する５員環骨格に含まれる窒素原子の数は、１または２である。Ｌは単結合または２価の連結基を表す。）
〔１２〕
さらに、下記一般式（ａ）で表される化合物を発光層に含むことを特徴とする〔１０〕〜〔１１〕のいずれかに記載の有機電界発光素子。
【化１０７】
2010245063.tif 000015
（一般式（ａ）において、Ｒ1〜Ｒ4は、それぞれ独立に、水素原子、アルキル基、アルケニル基、アルキニル基、アリール基、ヘテロアリール基、アルコキシ基、アシル基、アシロキシ基、アミノ基、ニトロ基、シアノ基、エステル基、アミド基、ハロゲン基、パーフルオロアルキル基、シリル基を表し、該Ｒ1〜Ｒ4の少なくとも１つは、二重結合、あるいは三重結合を有する基である。Ｘ1〜Ｘ12は、それぞれ独立に、水素原子、アルキル基、アルキニル基、アリール基、ヘテロアリール基、アルコキシ基、アシル基、アシロキシ基、アミノ基、ニトロ基、シアノ基、エステル基、アミド基、ハロゲン基、パーフルオロアルキル基、シリル基を表す。）
〔１３〕
下記一般式（Ｖ）で表される化合物。
【化１０８】
2010245063.tif 000016
（一般式（Ｖ）中、Ｒは各々独立に水素原子、アルキル基、シアノ基、アリール基又はヘテロアリール基を表す。）
本発明は上記の〔１〕〜〔１３〕に関するものであるが、その他の事項についても記載した。